(57)【特許請求の範囲】
【請求項１】
（Ａ）流体を噴射するノズルが所定方向に並ぶノズル列と媒体とを前記所定方向と交差する方向に相対移動させながら前記ノズルから流体を噴射させる画像記録動作と、前記ノズル列に対する前記媒体の相対位置を前記所定方向の一の方向に移動させる動作とを繰り返す流体噴射装置が、実施する記録方法の決定方法であって、
（Ｂ）噴射特性が変動した不良ノズル、又は、噴射特性が変動すると予測される不良ノズルの前記ノズル列における位置を特定することと、
（Ｃ）前記ノズル列における前記不良ノズルの位置に基づいて、
前記媒体の前記所定方向における中央部に画像を記録する通常処理と、前記媒体の前記所定方向における端部に画像を記録する端部処理であって、前記ノズル列に対する前記媒体の前記所定方向への相対移動量が前記通常処理の前記相対移動量よりも短い端部処理と、を実施する第１の記録方法と、
前記通常処理と前記端部処理の間に、前記相対移動量が、前記端部処理の前記相対移動量以上であり、且つ、前記通常処理の前記相対移動量以下である中間処理を実施する第２の記録方法とのうち、前記流体噴射装置が実施する記録方法を選択することと、
（Ｄ）を有することを特徴とする記録方法の決定方法。
【請求項２】
請求項１に記載の記録方法の決定方法であって、
前記第２の記録方法では、前記交差する方向に沿うドット列を記録可能な前記ノズルのうち、前記端部処理の前記ノズルよりも、前記中間処理の前記ノズル又は前記通常処理の前記ノズルを、優先的に使用する、
記録方法の決定方法。
【請求項３】
請求項１または請求項２に記載の記録方法の決定方法であって、
前記不良ノズルが前記ノズル列における端部に位置する場合、前記第１の記録方法を選択し、
前記不良ノズルが前記ノズル列における端部以外に位置する場合、前記第２の記録方法を選択する、
記録方法の決定方法。
【請求項４】
請求項３に記載の記録方法の決定方法であって、
前記第２の記録方法を選択した場合、
前記中間処理の前記相対移動量を複数変化させて、前記交差する方向に沿う各ドット列を記録する際に使用される前記不良ノズルの割合を算出し、
算出した前記割合に基づいて、前記中間処理の前記相対移動量を決定する、
記録方法の決定方法。
【請求項５】
請求項４に記載の記録方法の決定方法であって、
各前記ドット列の前記割合の中の最大値が最も小さい前記中間処理の前記相対移動量を、前記第２の記録方法における前記中間処理の前記相対移動量に決定する、
記録方法の決定方法。
【請求項６】
請求項４または請求項５に記載の記録方法の決定方法であって、
前記不良ノズルの数と前記中間処理の前記相対移動量とを複数変化させて、各前記ドット列を記録する際に使用される前記不良ノズルの割合を算出し、
算出した前記割合に基づいて、前記中間処理の前記相対移動量を決定する、
記録方法の決定方法。
【請求項７】
請求項４から請求項６の何れか一項に記載の記録方法の決定方法であって、
前記中間処理における前記画像記録動作の数と前記中間処理の前記相対移動量とを複数変化させて、各前記ドット列を記録する際に使用される前記不良ノズルの割合を算出し、
算出した前記割合に基づいて、前記中間処理の前記相対移動量を決定する、
記録方法の決定方法。
【請求項８】
（Ａ）流体を噴射するノズルが所定方向に並ぶノズル列と媒体とを前記所定方向と交差する方向に相対移動させながら前記ノズルから流体を噴射させる画像記録動作と、前記ノズル列に対する前記媒体の相対位置を前記所定方向の一の方向に移動させる動作とを繰り返す流体噴射装置の製造方法であって、
（Ｂ）噴射特性が変動すると予測される不良ノズルの前記ノズル列における位置を特定することと、
（Ｃ）前記ノズル列における前記不良ノズルの位置に基づいて、
前記媒体の前記所定方向における中央部に画像を記録する通常処理と、前記媒体の前記所定方向における端部に画像を記録する端部処理であって、前記ノズル列に対する前記媒体の前記所定方向への相対移動量が前記通常処理の前記相対移動量よりも短い端部処理と、を実施する第１の記録方法と、
前記通常処理と前記端部処理の間に、前記相対移動量が、前記端部処理の前記相対移動量以上であり、且つ、前記通常処理の前記相対移動量以下である中間処理を実施する第２の記録方法とのうち、前記流体噴射装置が実施する記録方法を選択することと、
（Ｄ）選択した前記記録方法を前記流体噴射装置が実施するように、選択した前記記録方法を前記流体噴射装置の記憶部に記憶させることと、
（Ｅ）を有することを特徴とする流体噴射装置の製造方法。
【発明の詳細な説明】
【技術分野】
【０００１】
本発明は、記録方法の決定方法、及び、流体噴射装置の製造方法に関する。
【背景技術】
【０００２】
流体噴射装置の一つとして、インク（流体）を噴射するノズルが所定方向に並んだノズル列を有するヘッドが所定方向と交差する移動方向に移動しながら媒体に対してノズルからインクを噴射して、媒体に画像を記録する画像記録動作と、ヘッドと媒体の相対位置を所定方向に搬送する搬送動作とを、繰り返すインクジェットプリンター（以下、プリンター）が知られている。
【０００３】
プリンターの中には、印刷開始時および終了時において、媒体に対するヘッドの飛び出し量を小さくしたり、媒体の余白量を小さくしたりするために、印刷開始時および終了時に、通常の印刷処理時よりも、ヘッドと媒体の相対位置の移動量を小さくするプリンターがある（例えば、特許文献１を参照）。
【先行技術文献】
【特許文献】
【０００４】
【特許文献１】特開平７−２４２０２５号公報
【発明の概要】
【発明が解決しようとする課題】
【０００５】
ノズル列の一部に、噴射特性が他のノズルとは異なる不良ノズル群が発生することがある。そうすると、印刷開始時および終了時にはヘッドと媒体の相対移動量が小さいため、一部のラスターライン（移動方向に沿うドット列）に連続して不良ノズルが割り当てられてしまう。即ち、１つのラスターラインに割り当てられる不良ノズル数が多くなってしまう。その結果、多くの不良ノズルが割り当てられるラスターラインが画像上にスジとなって現れ、画像の画質が劣化してしまう。ただし、ノズル列における不良ノズルの発生位置に応じて、画像の画質劣化を抑制する記録方法が異なる。  
そこで、本発明は、画像の画質劣化を抑制する記録方法を決定することを目的とする。
【課題を解決するための手段】
【０００６】
前記課題を解決する為の主たる発明は、（Ａ）流体を噴射するノズルが所定方向に並ぶノズル列と媒体とを前記所定方向と交差する方向に相対移動させながら前記ノズルから流体を噴射させる画像記録動作と、前記ノズル列に対する前記媒体の相対位置を前記所定方向の一の方向に移動させる動作とを繰り返す流体噴射装置が、実施する記録方法の決定方法であって、（Ｂ）噴射特性が変動した不良ノズル、又は、噴射特性が変動すると予測される不良ノズルの前記ノズル列における位置を特定することと、（Ｃ）前記ノズル列における前記不良ノズルの位置に基づいて、前記媒体の前記所定方向における中央部に画像を記録する通常処理と、前記媒体の前記所定方向における端部に画像を記録する端部処理であって、前記ノズル列に対する前記媒体の前記所定方向への相対移動量が前記通常処理の前記相対移動量よりも短い端部処理と、を実施する第１の記録方法と、前記通常処理と前記端部処理の間に、前記相対移動量が、前記端部処理の前記相対移動量以上であり、且つ、前記通常処理の前記相対移動量以下である中間処理を実施する第２の記録方法とのうち、前記流体噴射装置が実施する記録方法を選択することと、（Ｄ）を有することを特徴とする記録方法の決定方法である。  
本発明の他の特徴は、本明細書、及び添付図面の記載により、明らかにする。
【図面の簡単な説明】
【０００７】
【図１】プリンターの全体構成ブロック図である。
【図２】図２Ａはプリンターの斜視図であり、図２Ｂはヘッドにおけるノズル配列を示す図である。
【図３】図３Ａ及び図３Ｂは第１印刷方法を説明する図である。
【図４】図４Ａ及び図４Ｂは第２印刷方法を説明する図である。
【図５】第１印刷方法と第２印刷方法における不良ノズルの使用比率の違いを示すグラフである。
【図６】図６Ａおよび図６Ｂはノズル列の端部に不良ノズル群が発生した場合の不良ノズルの使用比率を説明する図である。
【図７】図７Ａおよび図７Ｂはノズル列の端部と中央部の間に不良ノズル群が発生した場合の不良ノズルの使用比率を説明する図である。
【図８】最適な印刷方法の決定方法を示すフロー図である。
【図９Ａ】不良ノズル数が４個の場合の不良ノズルの使用比率を示す図である。
【図９Ｂ】不良ノズル数が８個の場合の不良ノズルの使用比率を示す図である。
【図９Ｃ】不良ノズル数が１６個の場合の不良ノズルの使用比率を示す図である。
【図１０Ａ】中間処理のパス数が３である場合の不良ノズルの使用比率を示す図である。
【図１０Ｂ】中間処理のパス数が２である場合の不良ノズルの使用比率を示す図ある。
【図１０Ｃ】中間処理のパス数が１である場合の不良ノズルの使用比率を示す図である。
【発明を実施するための形態】
【０００８】
＝＝＝開示の概要＝＝＝
本明細書の記載、及び添付図面の記載により、少なくとも次のことが明らかとなる。
【０００９】
即ち、（Ａ）流体を噴射するノズルが所定方向に並ぶノズル列と媒体とを前記所定方向と交差する方向に相対移動させながら前記ノズルから流体を噴射させる画像記録動作と、前記ノズル列に対する前記媒体の相対位置を前記所定方向の一の方向に移動させる動作とを繰り返す流体噴射装置が、実施する記録方法の決定方法であって、（Ｂ）噴射特性が変動した不良ノズル、又は、噴射特性が変動すると予測される不良ノズルの前記ノズル列における位置を特定することと、（Ｃ）前記ノズル列における前記不良ノズルの位置に基づいて、前記媒体の前記所定方向における中央部に画像を記録する通常処理と、前記媒体の前記所定方向における端部に画像を記録する端部処理であって、前記ノズル列に対する前記媒体の前記所定方向への相対移動量が前記通常処理の前記相対移動量よりも短い端部処理と、を実施する第１の記録方法と、前記通常処理と前記端部処理の間に、前記相対移動量が、前記端部処理の前記相対移動量以上であり、且つ、前記通常処理の前記相対移動量以下である中間処理を実施する第２の記録方法とのうち、前記流体噴射装置が実施する記録方法を選択することと、（Ｄ）を有することを特徴とする記録方法の決定方法である。  
このような記録方法の決定方法によれば、画像の画質劣化を抑制する記録方法を決定することができる。
【００１０】
かかる記録方法の決定方法であって、前記第２の記録方法では、前記交差する方向に沿うドット列を記録可能な前記ノズルのうち、前記端部処理の前記ノズルよりも、前記中間処理の前記ノズル又は前記通常処理の前記ノズルを、優先的に使用すること。  
このような記録方法の決定方法によれば、端部処理における不良ノズルを画像の記録に使用しないノズルにすることができる。
【００１１】
かかる記録方法の決定方法であって、前記不良ノズルが前記ノズル列における端部に位置する場合、前記第１の記録方法を選択し、前記不良ノズルが前記ノズル列における端部以外に位置する場合、前記第２の記録方法を選択すること。  
このような記録方法の決定方法によれば、画像の画質劣化を抑制する記録方法を決定することができる。
【００１２】
かかる記録方法の決定方法であって、前記第２の記録方法を選択した場合、前記中間処理の前記相対移動量を複数変化させて、前記交差する方向に沿う各ドット列を記録する際に使用される前記不良ノズルの割合を算出し、算出した前記割合に基づいて、前記中間処理の前記相対移動量を決定すること。  
このような記録方法の決定方法によれば、画像の画質劣化を抑制できる中間処理の相対移動量を決定することができる。
【００１３】
かかる記録方法の決定方法であって、各前記ドット列の前記割合の中の最大値が最も小さい前記中間処理の前記相対移動量を、前記第２の記録方法における前記中間処理の前記相対移動量に決定すること。  
このような記録方法の決定方法によれば、画像の画質劣化を抑制できる中間処理の相対移動量を決定することができる。
【００１４】
かかる記録方法の決定方法であって、前記不良ノズルの数と前記中間処理の前記相対移動量とを複数変化させて、各前記ドット列を記録する際に使用される前記不良ノズルの割合を算出し、算出した前記割合に基づいて、前記中間処理の前記相対移動量を決定すること。  
このような記録方法の決定方法によれば、画像の画質劣化を抑制できる中間処理の相対移動量を決定することができる。
【００１５】
かかる記録方法の決定方法であって、前記中間処理における前記画像記録動作の数と前記中間処理の前記相対移動量とを複数変化させて、各前記ドット列を記録する際に使用される前記不良ノズルの割合を算出し、算出した前記割合に基づいて、前記中間処理の前記相対移動量を決定すること。  
このような記録方法の決定方法によれば、画像の画質劣化を抑制できる中間処理の相対移動量を決定することができる。
【００１６】
また、（Ａ）流体を噴射するノズルが所定方向に並ぶノズル列と媒体とを前記所定方向と交差する方向に相対移動させながら前記ノズルから流体を噴射させる画像記録動作と、前記ノズル列に対する前記媒体の相対位置を前記所定方向の一の方向に移動させる動作とを繰り返す流体噴射装置の製造方法であって、（Ｂ）噴射特性が変動すると予測される不良ノズルの前記ノズル列における位置を特定することと、（Ｃ）前記ノズル列における前記不良ノズルの位置に基づいて、前記媒体の前記所定方向における中央部に画像を記録する通常処理と、前記媒体の前記所定方向における端部に画像を記録する端部処理であって、前記ノズル列に対する前記媒体の前記所定方向への相対移動量が前記通常処理の前記相対移動量よりも短い端部処理と、を実施する第１の記録方法と、前記通常処理と前記端部処理の間に、前記相対移動量が、前記端部処理の前記相対移動量以上であり、且つ、前記通常処理の前記相対移動量以下である中間処理を実施する第２の記録方法とのうち、前記流体噴射装置が実施する記録方法を選択することと、（Ｄ）選択した前記記録方法を前記流体噴射装置が実施するように、選択した前記記録方法を前記流体噴射装置の記憶部に記憶させることと、（Ｅ）を有することを特徴とする流体噴射装置の製造方法である。  
このような流体噴射装置の製造方法によれば、画像の画質劣化を抑制する記録方法を実施する流体噴射装置を製造することができる。
【００１７】
＝＝＝印刷システムについて＝＝＝
以下、流体噴射装置をインクジェットプリンター（以下、プリンター）とし、プリンターとコンピューターが接続された印刷システムを例に挙げて実施形態を説明する。
【００１８】
図１は、プリンター１の全体構成ブロック図である。図２Ａは、プリンター１の斜視図であり、図２Ｂは、ヘッド４１におけるノズル配列を示す図である。コンピューター６０は、プリンター１と通信可能に接続されており、プリンター１に画像を印刷させるための印刷データをプリンター１に出力する。なお、コンピューター６０には、アプリケーションプログラムから出力された画像データを印刷データに変換するためのプログラム（プリンタードライバー）がインストールされている。プリンタードライバーは、ＣＤ−ＲＯＭなどの記憶媒体に記憶されていたり、インターネットを介してコンピューターにダウンロード可能であったりする。
【００１９】
コントローラー１０は、プリンター１の制御を行うための制御ユニットである。インターフェース部１１はコンピューター６０とプリンター１との間でデータの送受信を行うためのものである。ＣＰＵ１２はプリンター１全体の制御を行うための演算処理装置である。メモリー１３はＣＰＵ１２のプログラムを格納する領域や作業領域等を確保するためのものである。ＣＰＵ１２はユニット制御回路１４により各ユニットを制御する。なお、プリンター１内の状況を検出器群５０が監視し、その検出結果に基づいて、コントローラー１０は各ユニットを制御する。
【００２０】
搬送ユニット２０は、媒体Ｓ（印刷用紙など）を印刷可能な位置に送り込み、印刷時には搬送方向（所定方向）に所定の搬送量で媒体Ｓを搬送するものである。  
キャリッジユニット３０は、ヘッド４１を搬送方向と交差する移動方向に移動させるためのものであり、キャリッジ３１を有する。
【００２１】
ヘッドユニット４０は、媒体Ｓにインクを噴射するためのものであり、ヘッド４１を有する。ヘッド４１はキャリッジ３１によって移動方向に移動する。図２Ｂに示すようにヘッド４１の下面には、インク噴射部であるノズルが複数設けられ、各ノズルには、インクが入ったインク室（不図示）が設けられている。なお、図２Ｂはヘッド４１の上面から仮想的にノズルを見た図である。ヘッド４１には、４色のインクをそれぞれ噴射する４つのノズル列（イエローノズル列Ｙ，マゼンタノズル列Ｍ，シアンノズル列Ｃ，ブラックノズル列Ｋ）が設けられている。各ノズル列では、３６０個のノズルが媒体の搬送方向に所定の間隔（３６０ｄｐｉ）で並んでいる。搬送方向下流側のノズルから順に小さい番号を付す（＃１〜＃３６０）。
【００２２】
このようなプリンター１では、移動方向に沿って移動するヘッド４１からインク滴を断続的に噴射させて媒体上にドットを形成する画像記録動作（パス）と、媒体をヘッド４１に対して搬送方向に搬送する搬送動作とが繰り返される。そうすることで、先の画像記録動作により形成されたドットの位置とは異なる媒体上の位置に、後の画像記録動作にてドットを形成することができ、媒体上に２次元の画像を印刷することができる。
【００２３】
＝＝＝印刷方法例＝＝＝
本実施形態のプリンター１は、第１印刷方法（第１の記録方法に相当）と第２印刷方法（第２の記録方法に相当）を実施可能とする。
【００２４】
＜第１印刷方法＞
図３Ａは、媒体上端部に対する第１印刷方法を説明する図であり、図３Ｂは、媒体下端部に対する第１印刷方法を説明する図である。媒体における搬送方向下流側の端部を「上端部」と呼び、媒体における搬送方向上流側の端部を「下端部」と呼ぶ。第１印刷方法は、媒体の上端部を印刷する上端処理と、媒体の下端部を印刷する下端処理と、端部以外の部分（媒体の中央部）を印刷する通常処理から構成される。図３Ａに示すように、パス１からパス４までを上端処理とし、パス５以降を通常処理とし、また、図３Ｂに示すように、パス１１までを通常処理とし、パス１２からパス１５までを下端処理とする。なお、図では、１つのマス目を１つのノズルとして表し、ノズル列に属するノズル数を６４個に減らして描く。また、実際のプリンター１ではヘッド４１（ノズル列）に対して媒体が搬送方向下流側に搬送されるが、図では、ノズル列がパスごとに搬送方向上流側にずれる様子を示す。また、ノズル列において搬送方向に並ぶノズルの間隔（マス目の搬送方向の長さ）を「Ｄ」とする。
【００２５】
第１印刷方法は、１つのラスターライン（移動方向に沿うドット列）を複数のノズルで印刷する印刷方法（所謂、オーバーラップ印刷）とする。媒体において１つのドットが形成される単位領域を「画素領域」とすると、ラスターラインは移動方向に並ぶ複数の画素領域に形成される。移動方向に並ぶ画素領域は４つに分類され、各画素領域に４つの水平位置（１〜４）の何れかが対応付けられるとする。通常処理では、各水平位置の画素領域に対して２つのノズルでドットが形成される。即ち、通常処理では、１つのラスターラインが８個のノズルで印刷される。このように、同じ水平位置の画素領域に対して他のノズルと共にドットを形成するノズルを「オーバーラップノズル（以下、ＯＬノズル）」と呼ぶ。図中では、ＯＬノズルを斜線のマス目で示す。また、搬送方向下流側のラスターラインから順に小さい番号を付し、例えば、搬送方向の最も下流側に位置するラスターラインを「１番ラスター（Ｌ１）」と呼ぶ。図３Ａに示す５２番ラスター（Ｌ５２）に対応する位置には８個のＯＬノズルが移動方向に並んでおり、これは、５２番ラスターが８個のＯＬノズルによって形成されることを示す。
【００２６】
また、図３では、搬送方向に並ぶラスターラインの間隔を「Ｄ」とする。ゆえに、通常処理では、１回の媒体搬送量が「８Ｄ」となり、媒体搬送量に相当するラスターライン数は「８」となる。即ち、通常処理では、１回の媒体搬送動作によって、媒体はヘッド４１に対して８個のラスターライン分だけ搬送方向下流側に搬送される。以上をまとめると、通常処理では、ノズル列を移動方向に移動させながらノズル列に属する６４個のノズルからインク滴が噴射される画像記録動作と、媒体を搬送方向下流側に搬送量「８Ｄ」だけ搬送する媒体搬送動作とが繰り返される。
【００２７】
ここで仮に、印刷開始時から通常処理を実施してしまうと、ヘッド４１に対する印刷開始位置が搬送方向上流側となってしまう。逆に、印刷終了時まで通常処理を実施してしまうと、ヘッド４１に対する印刷終了位置が搬送方向下流側となってしまう。そうすると、媒体の余白が大きくなったり、媒体に対するヘッド４１の飛び出し量が大きくなったりしてしまう。そこで、第１印刷方法では、印刷開始時、即ち、媒体上端部の印刷時には、媒体搬送量が通常処理の媒体搬送量８Ｄよりも短い「Ｄ」である上端処理を実施し、印刷終了時、即ち、媒体下端部の印刷時には、媒体搬送量が通常処理の媒体搬送量８Ｄよりも短い「Ｄ」である下端処理を実施する。上端処理および下端処理の媒体搬送量は、言い換えれば、１個のラスターライン分の長さに相当する。
【００２８】
また、媒体の上端部および下端部では、ラスターラインに割り当てられるノズル数が少ない（移動方向に並ぶマス目が少ない）。そのため、通常処理時のように、１つのラスターラインを８個のノズルで形成できない場合がある。そこで、上端処理および下端処理では、一部のノズルに対して、通常処理時には２つのノズルで担う役割を１つのノズルに担わせる。即ち、ある水平位置の全画素領域に対して１つのノズルにドットを形成させる。このように、同じ水平位置の画素領域に対して自身のノズルだけでドットを形成するノズルを「通常ノズル」と呼ぶ。図中では、通常ノズルを白抜きのマス目で示す。
【００２９】
一方、上端処理のノズル列のうちの搬送方向上流側のノズル（番号の大きいノズル）が割り当てられるラスターラインには通常処理のノズルも割り当てられるため、そのラスターラインに割り当てられるノズル数が８個以上となる。同様に、下端処理のノズル列のうちの搬送方向下流側のノズル（番号の小さいノズル）が割り当てられるラスターラインにも通常処理のノズルが割り当てられるため、そのラスターラインに割り当てられるノズル数が８個以上となる。第１印刷方法では、１つのラスターラインに割り当てられるノズル数が８個以上である場合、上端処理のノズルよりも通常処理のノズルが優先して印刷に使用され、下端処理のノズルよりも通常処理のノズルが優先して印刷に使用されるようにする。また、同じ上端処理内においても、先のパスのノズルよりも後のパスのノズルが優先して印刷に使用され、同じ下端処理内においても、後のパスのノズルよりも先のパスのノズルが優先して印刷に使用されるようにする。
【００３０】
ゆえに、上端処理のノズル列および下端処理のノズル列には、印刷に使用されないノズル（以下、非使用ノズルと呼ぶ）が発生する。図中では、非使用ノズルをバツ印のマス目で示す。図示するように、上端処理のノズル列のうちの搬送方向上流側のノズルが非使用ノズルとなり、下端処理のノズル列のうちの搬送方向下流側のノズルが非使用ノズルとなっている。なお、印刷開始位置よりも下流側のノズルおよび印刷終了位置よりも上流側のノズルも非使用ノズルとなる。
【００３１】
＜第２印刷方法＞
図４Ａは、媒体上端部に対する第２印刷方法を説明する図であり、図４Ｂは、媒体下端部に対する第２印刷方法を説明する図である。第２印刷方法では、上端処理と通常処理の間に、上端処理の媒体搬送量（Ｄ）よりも長く、且つ、通常処理の媒体搬送量（８Ｄ）よりも短い媒体搬送量（４Ｄ）である中間処理（上端側中間処理とも呼ぶ）が設けられ、下端処理と通常処理の間に、下端処理の媒体搬送量（Ｄ）よりも長く、且つ、通常処理の媒体搬送量（８Ｄ）よりも短い媒体搬送量（４Ｄ）である中間処理（下端側中間処理とも呼ぶ）が設けられている。図４Ａに示すように、パス１からパス４までを上端処理とし、パス５からパス８までを上端側中間処理とし、パス９以降を通常処理とする。また、図４Ｂに示すように、パス１１までを通常処理とし、パス１２からパス１５までを下端側中間処理とし、パス１６からパス１９までを下端処理とする。なお、中間処理が設けられていること以外は、第１印刷方法と第２印刷方法は同じであり、上端処理および下端処理の媒体搬送量は短く、１個のラスターライン分の長さに相当し、通常処理の媒体搬送量は長く、８個のラスターライン分の長さに相当する。
【００３２】
上端処理と通常処理の間に、媒体搬送量が通常処理時よりも短い中間処理を設けることで、主に中間処理のパス５〜８のノズルが割り当てられるラスターラインにおいて、各ラスターラインに割り当てられるノズル数（移動方向に並ぶノズル数）を増やすことが出来る。例えば、第１印刷方法（図３Ａ）では２７番ラスター（Ｌ２７）に割り当てられるノズル数が７個であるのに対して、第２印刷方法（図４Ａ）では２７番ラスター（Ｌ２７）に対応付けられるノズル数が９個となっている。同様に、下端処理と通常処理の間に、媒体搬送量が通常処理時よりも短い中間処理を設けることで、主に中間処理のパス１２〜１５のノズルが割り当てられるラスターラインにおいて、各ラスターラインに割り当てられるノズル数を増やすことが出来る。
【００３３】
そして、第２印刷方法では、１つのラスターラインに割り当てられるノズル数が８個以上である場合、上端側では先のパスのノズルよりも後のパスのノズルが優先して印刷に使用され、上端処理のノズルよりも中間処理のノズルが優先され、中間処理のノズルよりも通常処理のノズルが優先される。一方、下端側では後のパスのノズルよりも先のパスのノズルが優先して印刷に使用され、下端処理のノズルよりも中間処理のノズルが優先され、中間処理のノズルよりも通常処理のノズルが優先される。その結果、上端・下端処理の不良ノズルの少なくとも一部を非使用ノズルにすることができる。
【００３４】
ゆえに、第２印刷方法（図４）では第１印刷方法（図３）に比べて、上端処理のノズル列および下端処理のノズル列において、非使用ノズル数を増やすことができ、また、ＯＬノズル数を増やすことができている（言い換えれば、通常ノズル数を減らすことができている）。例えば、第１印刷方法の上端処理のパス１ではノズル＃４４〜＃６４が非使用ノズルであるのに対して、第２印刷方法の上端処理のパス１ではノズル＃２８〜＃６４が非使用ノズルとなる。また、第１印刷方法の下端処理の最後のパス１５ではノズル＃１〜＃２８が非使用ノズルであるのに対して、第２印刷方法の下端処理の最後のパス１９ではノズル＃１〜＃４４が非使用ノズルとなる。また、第１印刷方法の上端処理のパス４ではノズル＃１〜＃３２までが通常ノズル（白抜きのマス目）であるのに対して、第２印刷方法の上端処理のパス４ではノズル＃１〜＃１６までが通常ノズルとなる。
【００３５】
なお、原則として、中間処理の媒体搬送量は、上端・下端処理の媒体搬送量よりも大きく、且つ、通常処理の媒体搬送量よりも小さいとする。ただし、例えば、印刷用紙のサイズに応じた位置合わせのために、中間処理のあるパスの媒体搬送量が、上端・下端処理の媒体搬送量と等しくなったり、通常処理の媒体搬送量と等しくなったりする場合もある。即ち、中間処理の媒体搬送量は、上端・下端処理の媒体搬送量以上であり、通常処理の媒体搬送量以下とする。
【００３６】
＝＝＝不良ノズル群の発生＝＝＝
ところで、経時変化により、ノズル列において局所的に不良ノズルが発生する場合がある。不良ノズルとは、インク噴射量が設計上の噴射量から変動したノズルや、インク滴の着弾位置が設計上の着弾位置からずれたノズルである。即ち、不良ノズルとは、噴射特性が変動したノズル、又は、噴射特性が変動すると予測されるノズルである。以下、前述の第１印刷方法（図３）や第２印刷方法（図４）を実施するプリンター１において、ノズル列の中央部に８個の不良ノズル群が発生した場合を例に挙げる。図３や図４に示すように、ノズル列の中央部の太枠で囲われたノズル（＃２９〜＃３６）を不良ノズル群とする。
【００３７】
まず、中央部に不良ノズル群が発生したノズル列によって第１印刷方法（図３）が実施された場合について説明する。通常処理では（パス５以降では）、媒体搬送量が比較的に大きい。そのため、あるパスで不良ノズル群が割り当てられるラスターライン群と、その前後のパスで不良ノズル群が割り当てられるラスターライン群とが重複しない。ゆえに、通常処理のパスで不良ノズルが割り当てられるラスターラインには、不良ノズルが１個だけ割り当てられる。例えば、図３Ａに示す通常処理のパス６で不良ノズル＃２９が割り当てられる４５番ラスター（Ｌ４５）には、他のパスにおいて不良ノズルが割り当てられていない。よって、４５番ラスターを形成する際の不良ノズルの使用比率は１２．５％となる。
【００３８】
不良ノズルの使用比率とは、１つのラスターラインが形成される画素領域の数（移動方向に並ぶ画素領域の数）に対する不良ノズルに割り当てられる画素領域の数の割合である。即ち、不良ノズルの使用比率は、各ラスターラインを印刷する際に使用される不良ノズルの割合である。例えば、４５番ラスターに対応付けられる不良ノズル＃２９はＯＬノズルである。そのため、４つの水平位置の中の１つの水平位置である画素領域の半分の画素領域が、不良ノズル＃２９に割り当てられる。よって、４５番ラスターを形成する際の不良ノズルの使用比率は、式「０．５／４×１００＝１２．５％」によって算出される。
【００３９】
これに対して、上端処理では媒体搬送量が比較的に小さい。そのため、あるパスで不良ノズル群が割り当てられるラスターライン群と、その前後のパスで不良ノズル群が割り当てられるラスターライン群とが重複してしまう。即ち、同じラスターラインに連続して不良ノズルが割り当てられてしまう。ゆえに、上端処理のパスで不良ノズルが割り当てられるラスターラインには、複数の不良ノズルが割り当てられてしまう。例えば、図３Ａに示すように、２７番ラスター（Ｌ２７）には２つの不良ノズルが割り当てられ、２８番ラスター（Ｌ２８）には３つの不良ノズルが割り当てられ、２９番ラスター（Ｌ２９）には４つの不良ノズルが割り当てられている。よって、２７番ラスターを形成する際の不良ノズルの使用比率は２５％（＝（０．５×２）／４×１００）となり、２８番ラスターを形成する際の不良ノズルの使用比率は３７．５％（＝（０．５×３）／４×１００）となり、２９番ラスターを形成する際の不良ノズルの使用比率は６２．５％（＝（０．５×３＋１）／４×１００）となる。
【００４０】
また、上端処理では、不良ノズル群が連続して同じラスターラインに割り当てられるだけに限らず、２９番ラスター（Ｌ２９）のように、通常ノズル（白抜きのマス目）が不良ノズルとなる場合がある。通常ノズルはＯＬノズル（斜線のマス目）に比べて、対応付けられる画素領域の数が多い。よって、ラスターラインに、不良ノズルである通常ノズルが割り当てられる方が、不良ノズルであるＯＬノズルが割り当てられるよりも、不良ノズルの使用比率が高くなってしまう。
【００４１】
同様に、下端処理も媒体搬送量が比較的に小さい。そのため、あるパスで不良ノズル群が割り当てられるラスターライン群と、その前後のパスで不良ノズル群が割り当てられるラスターライン群とが重複し、１つのラスターラインに複数の不良ノズルが割り当てられてしまう。その結果、例えば、図３Ｂに示すように、９２番ラスター（Ｌ９２）を形成する際の不良ノズルの使用比率は６２．５％（＝（０．５×５）／４×１００）となり、９３番ラスター（Ｌ９３）を形成する際の不良ノズルの使用比率は５０％（＝（０．５×４）／４×１００）となり、９４番ラスター（Ｌ９４）を形成する際の不良ノズルの使用比率は３７．５％（＝（０．５×３）／４×１００）となる。なお、図３Ｂに示す下端処理では通常ノズル（白抜きのマス目）が不良ノズルとなっていないが、下端処理においても上端処理と同様に、通常ノズルが不良ノズルとなり、不良ノズルの使用比率が高くなる場合もある。
【００４２】
このように、通常処理に比べて上端処理および下端処理では媒体搬送量が短く、１つのラスターラインに連続して不良ノズル群が割り当てられてしまう。また、上端処理および下端処理では、ＯＬノズルでなく通常ノズルが存在するため、通常ノズルが不良ノズルとなる場合がある。その結果、通常処理のパスで不良ノズルが割り当てられるラスターライン（例えばＬ４５）に比べて、上端・下端処理のパスで不良ノズルが割り当てられるラスターライン（例えばＬ２７〜２９、Ｌ９２〜９４）の方が、不良ノズルの使用比率が高くなる。
【００４３】
例えば、不良ノズルから噴射されるインク量が設計上のインク噴射量よりも少ないとすると、不良ノズルの使用比率が高いラスターラインは他のラスターラインに比べて濃度の淡いラインとなる。よって、不良ノズルの使用比率が高いラスターラインは画像上に白スジとなって現れ、印刷画像の画質が劣化してしまう。そして、不良ノズルの使用比率が高くなるほどラスターラインの濃度がより淡くなり、そのラスターラインが画像上において目立ち易くなり、印刷画像の画質がより劣化してしまう。つまり、各ラスターラインを形成する際の不良ノズルの最大使用比率を低下させることで、画質劣化を抑制できる。
【００４４】
また、上端処理および下端処理の媒体搬送量は１個のラスターライン分に相当するため、搬送方向に並ぶラスターラインに連続して不良ノズル群が割り当てられてしまう。即ち、不良ノズルの使用比率が比較的に高いラスターラインが搬送方向に連続して並び、そのラスターライン群が画像上において目立ってしまう。このことも印刷画像の画質劣化に繋がる。
【００４５】
次に、中央部に不良ノズル群（＃２９〜＃３６）が発生したノズル列によって第２印刷方法（図４）が実施された場合について説明する。第２印刷方法も第１印刷方法と同様に、上端処理および下端処理の媒体搬送量が短く、１個のラスターライン分に相当する長さである。ゆえに、第２印刷方法においても、上端・下端処理で不良ノズル群が割り当てられるラスターラインには、連続して不良ノズルが割り当てられてしまう。ただし、前述のように、第２印刷方法では上端・下端処理と通常処理の間に中間処理を設けることにより、第１印刷方法に比べて、上端・下端処理のノズル列において、非使用ノズル数やＯＬノズル数を増やすことができる。
【００４６】
その結果、例えば、第１印刷方法（図３）では上端処理のパス１の不良ノズル群（＃２９〜＃３６）が印刷に使用されるノズル（ＯＬノズル）であるのに対して、第２印刷方法（図４）では上端処理のパス１の不良ノズル群が非使用ノズルとなる。パス１に限らず、パス２の不良ノズル群の一部（＃３５，＃３６）も非使用ノズルとなる。同様に、第１印刷方法では下端処理の最後のパス１５の不良ノズル群が印刷に使用されるノズル（ＯＬノズル）であるのに対して、第２印刷方法では下端処理の最後のパス１９の不良ノズル群が非使用ノズルとなる。不良ノズル群が非使用ノズルとなることによって、不良ノズルに割り当てられる画素領域を減らすことが出来る。また、第１印刷方法ではパス４の不良ノズル群の一部（＃２９〜＃３２）が通常ノズルであるのに対して、第２印刷方法ではパス４の不良ノズル群が全てＯＬノズルとなる。不良ノズルが通常ノズルであるよりも不良ノズルがＯＬノズルである方が、不良ノズルに割り当てられる画素領域を減らすことができる。
【００４７】
ゆえに、第２印刷方法では第１印刷方法に比べて、上端・下端処理で不良ノズル群が割り当てられるラスターラインの不良ノズルの使用比率を低下させることができる。具体的には、第１印刷方法の２９番ラスター（Ｌ２９）の不良ノズルの使用比率は６２．５％であるのに対して、第２印刷方法の２９番ラスターの不良ノズルの使用比率は３７．５％（＝（０．５×３）／４×１００）となる。また、第１印刷方法の９２番ラスター（Ｌ９２）の不良ノズルの使用比率は６２．５％であるのに対して、第２印刷方法の９２番ラスターの不良ノズルの使用比率は３７．５％（＝（０．５×３）／４×１００）となる。
【００４８】
図５は、第１印刷方法と第２印刷方法における不良ノズルの使用比率の違いを示すグラフである。横軸がラスターラインの番号を示し、縦軸が各ラスターラインにおける不良ノズルの使用比率を示す。図５は、上端処理にて印刷されるラスターラインの不良ノズルの使用比率を示す。グラフにおいて、第１印刷方法によるラスターラインの不良ノズルの使用比率を実線と丸（●）で示し、第２印刷方法によるラスターラインの不良ノズルの使用比率を点線と三角（▲）で示す。このグラフから、第１印刷方法における不良ノズルの最大使用比率（６２．５％）よりも、第２印刷方法における不良ノズルの最大使用比率（３７．５％）の方が低いことが分かる。
【００４９】
以上の結果、ノズル列の中央部に不良ノズル群が発生する場合、上端・下端処理と通常処理の間に中間処理のない第１印刷方法よりも、上端・下端処理と通常処理の間に中間処理のある第２印刷方法を実施する方が、不良ノズルの最大使用比率を低下させることができる。不良ノズルの最大使用比率を低下させることで、他のラスターラインと濃度差のあるラスターラインが印刷画像上において目立ってしまうことを防止し、印刷画像の画質劣化を抑制できる。つまり、ノズル列の中央部に不良ノズル群が発生する場合、第２印刷方法の方が印刷画像の画質劣化を抑制できる最適な印刷方法であると言える。
【００５０】
なお、図４に示す第２印刷方法では、上端処理と通常処理の間にも、下端処理と通常処理の間にも、中間処理が設けられた印刷方法を示すが、これに限らず、何れか一方の間にだけ中間処理が設けられた印刷方法でもよい。この場合にも、第１印刷方法を実施するよりも第２印刷方法を実施する方が、媒体の上端部と下端部のうちの何れか一方の端部の画質劣化を抑制することができる。よって、ノズル列の中央部に不良ノズル群が発生する場合には第２印刷方法が最適な印刷方法となる。
【００５１】
図６Ａおよび図６Ｂは、ノズル列の端部に不良ノズル群が発生した場合の不良ノズルの使用比率を説明する図である。図６では、ノズル列の搬送方向下流側端部の８個のノズル（＃１〜＃８）を不良ノズルとする。図６Ａは、上端処理と通常処理の間に中間処理を設けない第１印刷方法を示し、図６Ｂは、上端処理と通常処理の間に中間処理を設けた第２印刷方法を示す。
【００５２】
中間処理を設けることで、図６Ｂに示すように、上端処理のパス１のノズル＃２９よりも搬送方向上流側のノズルを非使用ノズルにすることが出来る。しかし、ここでは、ノズル列の端部に不良ノズルが発生するとしているため、上端処理のパスの不良ノズル（太枠で囲われた領域）を非使用ノズルにすることができない。よって、第１印刷方法（図６Ａ）における不良ノズルの最大使用比率（Ｌ１〜Ｌ５＝１００％）と、第２印刷方法（図６Ｂ）における不良ノズルの最大使用比率（Ｌ１〜Ｌ５＝１００％）とが等しい。
【００５３】
第１印刷方法では、上端処理の後に媒体搬送量の比較的に長い通常処理が実施されるため、上端処理で不良ノズル群が割り当てられるラスターライン（図６ＡのＬ１〜Ｌ８）と、通常処理で不良ノズル群が割り当てられるラスターライン（図６ＡのＬ９以降）とが重複しない。よって、上端処理の後の通常処理で不良ノズルが割り当てられるラスターラインには、１個の不良ノズルずつしか割り当てられない。これに対して、第２印刷方法では、上端処理の後に通常処理時よりも媒体搬送量の短い中間処理が実施されるため、上端処理で不良ノズル群が割り当てられるラスターライン（図６ＢのＬ１〜Ｌ８）と、中間処理で不良ノズル群が割り当てられるラスターライン（図６ＢのＬ５以降）とが重複してしまう。よって、中間処理で不良ノズル群が割り当てられるラスターライン（図６ＢのＬ５以降）には、複数の不良ノズルが割り当てられる。
【００５４】
そのため、第１印刷方法の６番ラスター（Ｌ６）の不良ノズルの使用比率は７５％（＝（１×３）／４×１００）であるのに対して、第２印刷方法の６番ラスターの不良ノズルの使用比率は８７．５％（＝（１×３＋０．５）／４×１００）となってしまう。また、第１印刷方法の７番ラスター（Ｌ７）の不良ノズルの使用比率は５０％（＝（１×２）／４×１００）であるのに対して、第２印刷方法の７番ラスターの不良ノズルの使用比率は６２．５％（＝（１×２＋０．５）／４×１００）となる。即ち、不良ノズルの最大使用比率は第１印刷方法と第２印刷方法とで同じであるが、２番目，３番目に大きい不良ノズルの使用比率は、第１印刷方法よりも第２印刷方法の方が大きい。
【００５５】
また、第１印刷方法にて上端処理の不良ノズル群が割り当てられるラスターラインよりも上流側のラスターライン（Ｌ９以降）では、不良ノズルの使用比率が１２．５％（＝０．５／４×１００）となる。これに対して、第２印刷方法にて上端処理の不良ノズル群が割り当てられるラスターラインよりも上流側のラスターライン（Ｌ９以降）では、不良ノズルの使用比率が２５％（＝（０．５×２）／４×１００）となる。このように、上端処理の不良ノズル群が割り当てられるラスターラインよりも上流側のラスターラインにおいもて、第１印刷方法の不良ノズルの使用比率よりも第２印刷方法の不良ノズルの使用比率の方が大きい。
【００５６】
以上の結果、ノズル列の端部に不良ノズル群が発生する場合、第１印刷方法の方が第２印刷方法に比べて、不良ノズルの使用比率を全体的に低くすることができる。そうすると、不良ノズルの影響を受けたラスターラインと他のラスターラインとの濃度差を小さくすることができ、印刷画像の画質劣化を抑制できる。ゆえに、ノズル列の端部に不良ノズル群が発生する場合、第１印刷方法が最適な印刷方法であると言える。これは、第２印刷方法において、中間処理を設けて上端・下端処理の非使用ノズル数を増やしたとしても、ノズル列の端部に不良ノズルがある場合、不良ノズルを非使用ノズルにすることができないからである。逆に、第２印刷方法において、中間処理を設けることによって、上端処理と中間処理でそれぞれ不良ノズル群が割り当てられるラスターライン群が重複したり、中間処理の前後のパスで不良ノズル群が割り当てられるラスターライン群が重複したりして、１つのラスターラインに割り当てられる不良ノズル数が増えてしまうからである。
【００５７】
また、第２印刷方法では、通常処理時よりも媒体搬送量の短い中間処理を設けるため、第１印刷方法に比べて印刷時間が長くなる。ゆえに、ノズル列の端部に不良ノズルが発生する場合には、印刷時間の観点からも、第１印刷方法が最適な印刷方法であると言える。
【００５８】
図７Ａおよび図７Ｂは、ノズル列の端部と中央部の間に不良ノズル群が発生した場合の不良ノズルの使用比率を説明する図である。図７では、６４個のノズル列から構成されるノズル列の端部（ノズル＃１）と中央部（ノズル＃３２）の間の８個のノズル（＃１３〜＃２０）を不良ノズルとする。図７Ａは、上端処理と通常処理の間に中間処理を設けない第１印刷方法を示し、図７Ｂは、上端処理と通常処理の間に中間処理を設けた第２印刷方法を示す。
【００５９】
前述の図６と同様に、中間処理を設けることで、図７Ｂに示すように、上端処理のパス１のノズル＃２９よりも搬送方向上流側のノズルを非使用ノズルにすることが出来る。しかし、ここでは、ノズル列の端部と中央部の間に不良ノズル（＃１３〜＃２０）が発生するとしているため、上端処理のパスの不良ノズル（太枠で囲われた領域）を非使用ノズルにすることができない。
【００６０】
ただし、第２印刷方法において中間処理を設けることで、図７Ｂに示すように、上端処理で不良ノズル群が割り当てられるラスターライン群（Ｌ１０〜Ｌ２０）において、各ラスターラインに割り当てられるノズル数を増やすことが出来る。よって、そのラスターライン群（Ｌ１０〜Ｌ２０）に割り当てられるＯＬノズル（斜線のマス目）を増やすことが出来る。その結果、第１印刷方法（図７Ａ）では、通常ノズル（白抜きのマス目）であった不良ノズルを、第２印刷方法（図７Ｂ）では、ＯＬノズル（斜線のマス目）にすることができる。
【００６１】
例えば、第１印刷方法を示す図７Ａではパス２の８個の不良ノズルのうちの６個のノズルが通常ノズルであるのに対して、第２印刷方法を示す図７Ｂではパス２の８個の不良ノズルの全てがＯＬノズルである。通常ノズルよりもＯＬノズルの方が対応付けられる画素領域の数が少ない。よって、第１印刷方法における不良ノズルの最大使用比率（Ｌ１３〜Ｌ１６の８７．５％）よりも、第２印刷方法における不良ノズルの最大使用比率（Ｌ１３〜Ｌ１７の６２．５％）を小さくすることができる。ゆえに、ノズル列の端部と中央部の間に不良ノズルが発生する場合、第２印刷方法が最適な印刷方法であると言える。
【００６２】
以上をまとめると、ノズル列の中央部に不良ノズル群が発生する場合には（図３〜図５）、中間処理のある第２印刷方法が最適な印刷方法となり、ノズル列の端部に不良ノズル群が発生する場合には（図６）、中間処理のない第１印刷方法が最適な印刷方法となり、ノズル列の端部と中央部の間に不良ノズル群が発生する場合には（図７）、中間処理のある第２印刷方法が最適な印刷方法となる。このように、ノズル列における不良ノズル群の発生位置によって最適な印刷方法が異なる。
【００６３】
そのため、例えば、仮に、経時変化によってノズル列の中央部に不良ノズル群が発生するプリンター１に対して中間処理のない第１印刷方法を実施するように設定してしまったとする。そうすると、ラスターラインを形成する際の不良ノズルの最大使用比率が大きく、印刷画像の画質が劣化してしまう。逆に、ノズル列の端部に不良ノズル群が発生するプリンター１に対して中間処理のある第２印刷方法を実施するように設定してしまうと、印刷画像の画質が劣化してしまう。
【００６４】
そこで、本実施形態では、ノズル列における不良ノズルの発生位置に応じて最適な印刷方法、即ち、印刷画像の画質劣化が抑制される印刷方法を決定することを目的とする。また、印刷画像の画質劣化が抑制される印刷方法に設定されたプリンター１を製造することを目的とする。以下、プリンター１に対する最適な印刷方法の決定方法について具体的に説明する。
【００６５】
＝＝＝印刷方法の決定方法＝＝＝
図８は、プリンター１に設定する最適な印刷方法（記録方法）の決定方法を示すフロー図である。例えば、プリンター１の出荷前にはノズル列に不良ノズル群が発生していなくとも、前述のように、経時変化によりノズル列に不良ノズル群が発生する場合がある。そこで、本実施形態では、プリンター１の設計工程などにおいて、経時変化によりノズル列に発生する不良ノズル群の位置を予測し、予測した位置に応じて、そのノズル列（ヘッド４１）を搭載するプリンター１の最適な印刷方法を決定する。ただし、プリンター１の設計工程において最適な印刷方法を決定するに限らない。例えば、ユーザーのもとでプリンター１を使用している時に、ノズル列に実際に不良ノズル群が発生した時点で、実際に発生した不良ノズル群の位置に応じて最適な印刷方法を決定してもよい。
【００６６】
そのため、まず、ノズル列における不良ノズル群の位置を特定する、又は、不良ノズル群の位置を予測する（Ｓ０１）。不良ノズル群の位置を特定するために、例えば、ノズル列に属する各ノズルにラインを形成させる。なお、プリンター１の設計時であり不良ノズル群の位置を予測する場合には、プリンター１に搭載するヘッド４１のノズル列から所定回数のインク滴を噴射させた後に、ノズル列に属する各ノズルにラインを形成させる。そして、ノズル列に属する各ノズルによって形成されたラインの太さやラインの間隔に基づいて、不良ノズルを決定する。例えば、他のノズルによって形成されたラインよりも細いラインを形成したノズルは、インク噴射量が少ない不良ノズルであると判断でき、逆に、他のノズルによって形成されたラインよりも太いラインを形成したノズルは、インク噴射量の多い不良ノズルであると判断できる。また、ノズル列方向（搬送方向）に並ぶ２つのノズルによって形成されるラインの間隔が設計上のラインの間隔と異なる場合、その２つのノズルのうちの少なくとも一方のノズルの着弾位置が設計上の着弾位置からずれる不良ノズルであると判断できる。また、ノズル列に属する各ノズルにラインを形成させるに限らず、例えば、ノズルから噴射されるインク量を実際に測定することによって不良ノズルか否かを判断してもよい。こうして、ノズル列における不良ノズル群の発生位置を特定する（予測する）。
【００６７】
次に、ノズル列における不良ノズル群の発生位置に基づいて、第１印刷方法と第２印刷方法の中から、そのノズル列を搭載するプリンター１の最適な印刷方法を選択する。前述のように、ノズル列の端部に不良ノズル群が発生する場合、中間処理のない第１印刷方法が最適な印刷方法であり、ノズル列の中央部、又は、中央部と端部の間に不良ノズル群が発生する場合、中間処理のある第２印刷方法が最適な印刷方法である。そこで、ノズル列の端部に不良ノズル群が発生する場合には（Ｓ０２→ＹＥＳ）、プリンター１に最適な印刷方法を「第１印刷方法」に決定し（Ｓ０３）、ノズル列の端部以外（中央部又は端部と中央部の間）に不良ノズル群が発生する場合には（Ｓ０２→ＮＯ）、プリンター１に最適な印刷方法を「第２印刷方法」に決定する（Ｓ０４）。こうすることで、プリンター１に対して、印刷画像の画質劣化を抑制する印刷方法を決定することができる。
【００６８】
ところで、前述の図４において説明しているように、第２印刷方法では上端処理の後や下端処理の前に、通常処理時よりも媒体搬送量の短い中間処理を設けることで、１つのラスターラインに割り当てられるノズル数を増やすことができ、上端・下端処理のノズル列における非使用ノズル数やＯＬノズル数を増やすことができる。その結果、ノズル列の端部以外に不良ノズル群がある場合には、不良ノズルが非使用ノズルとなったりＯＬノズルとなったりするため、ラスターラインを形成する際の不良ノズルの最大使用比率を下げることができる。その一方で、中間処理の媒体搬送量を短くし過ぎると、中間処理の前後のパスで不良ノズル群が割り当てられるラスターライン群の重複率が大きくなり、１つのラスターラインに割り当てられる不良ノズル数が増えてしまう。ゆえに、中間処理の媒体搬送量によって、ラスターラインを形成する際の不良ノズルの使用比率が変動する。
【００６９】
そこで、プリンター１の最適な印刷方法として第２印刷方法が選択された場合には、更に、中間処理の最適な媒体搬送量を決定する。そのために、中間処理の媒体搬送量を複数変化させて、各媒体搬送量における不良ノズルの使用比率を算出し、算出した不良ノズルの使用比率に基づいて、中間処理の最適な媒体搬送量を決定する。そうすることで、画質劣化を抑制できる中間処理の媒体搬送量を決定することができる。
【００７０】
また、同じ種類のヘッド４１の場合、ノズル列における不良ノズル群の発生位置は等しいが、個々のヘッド４１によって発生する不良ノズル数が異なる場合がある。また、通常処理において１つのラスターラインを形成するノズルの構成によって、１サイクルのパス数（通常処理にて１つのラスターラインを完成させるためにドットが形成されるパス数）が異なる。例えば、図４に示す通常処理では８個のＯＬノズルによって１つのラスターラインが形成されるため、１サイクルが８パスとなるのに対して、６個のＯＬノズルと１個の通常ノズルによって１つのラスターラインが形成される場合には、１サイクルが７パスとなる。そのため、上端処理または下端処理のパス数と中間処理のパス数の合計数を１サイクルのパス数にする場合、通常処理にて１つのラスターラインを形成するノズルの構成によって中間処理のパス数が異なってくる。
【００７１】
つまり、プリンター１が第２印刷方法を実施するとしても、ヘッド４１によってノズル列に発生する不良ノズル数が異なったり、印刷条件によって中間処理のパス数が異なったりする。不良ノズル数や中間処理のパス数が異なると、各ラスターラインを形成する際の不良ノズルの使用比率が変動する。
【００７２】
そこで、本実施形態では、中間処理の最適な媒体搬送量を決定するために、中間処理の媒体搬送量を複数変化させるだけでなく、不良ノズル数や中間処理のパス数も複数変化させて、各条件における不良ノズルの使用比率を算出する。そうして算出した不良ノズルの使用比率に基づいて、中間処理の最適な媒体搬送量を決定する。そうすることで、画質劣化を抑制できる中間処理の媒体搬送量を決定することができる。
【００７３】
本実施形態では、条件ごとに中間処理の最適な媒体搬送量を決定し、より多くの条件において最適となる媒体搬送量を、中間処理の媒体搬送量に決定する。各条件において最適となる媒体搬送量とは、不良ノズルの最大使用比率が最も低くなる媒体搬送量とする。そうすることで、不良ノズルの使用比率が最大であるラスターラインと他のラスターラインとの濃度差を出来る限り小さくすることができ、不良ノズルの使用比率が最大であるラスターラインが画像上においてスジとなって目立ってしまうことを抑制できる。  
また、不良ノズルの最大使用比率が同じである場合は、不良ノズルの使用比率が最大であるラスターライン数が少ない媒体搬送量や、２番目に大きい不良ノズルの使用比率が最も低くなる媒体搬送量を、各条件における最適な媒体搬送量にするとよい。そうすることで、画像上にて目立つラスターラインを減らすことができ、画質劣化を抑制できる。
【００７４】
以下では、説明のため、ノズル列の中央部に不良ノズル群が発生する場合を例に挙げる。また、図４に示す第２印刷方法では、上端処理と通常処理の間にも、下端処理と通常処理の間にも中間処理を設けている。そのため、媒体上端側のラスターラインを形成する際の不良ノズルの使用比率と媒体下端側のラスターラインを形成する際の不良ノズルの使用比率の両方を考慮して、中間処理の最適な媒体搬送量を決定するとよい。ただし、図４に示すように、上端処理と通常処理の間に中間処理を設けることによる作用と、下端処理と通常処理の間に中間処理を設けることによる作用は、同じである。よって、以下では、説明の簡略のため、媒体上端側のラスターラインを形成する際の不良ノズルの使用比率だけを考慮して、最適な媒体搬送量を決定する。
【００７５】
まず、不良ノズル数、及び、中間処理の媒体搬送量を複数変化させて、各条件における不良ノズルの使用比率を算出する（Ｓ０５）。  
図９Ａは、経時変化により発生する不良ノズル数が４個である場合の不良ノズルの使用比率を示すグラフであり、図９Ｂは、不良ノズル数が８個である場合の不良ノズルの使用比率を示すグラフであり、図９Ｃは、不良ノズル数が１６個である場合の不良ノズルの使用比率を示すグラフである。横軸がラスターラインの番号を示し、縦軸が不良ノズルの使用比率を示す。なお、前述の図４に示す第２印刷方法と同様に、通常処理では１つのラスターラインが８個のＯＬノズルによって完成され、１サイクルが８パスであり、中間処理のパス数を４パスとする。また、通常処理の媒体搬送量が８個のラスターライン分の長さに相当し、上端・下端処理の媒体搬送量が１個のラスターライン分の長さに相当するとした。
【００７６】
そして、ここでは、ノズル列の中央部に不良ノズル群が発生する場合を例に挙げる。よって、ノズル列に属する６４個のノズルのうち、図９Ａでは４個のノズル＃３１〜＃３４を不良ノズルとし、図９Ｂでは８個のノズル＃２９〜＃３６を不良ノズルとし、図９Ｃでは１６個のノズル＃２５〜＃４０を不良ノズルとする。
【００７７】
各グラフには、中間処理の媒体搬送量（７）が通常処理の媒体搬送量（通常送り量・８）よりも１個のラスターライン分の長さだけ短い場合の不良ノズルの使用比率の算出結果（四角（■）・実線）と、中間処理の媒体搬送量（４）が通常処理の媒体搬送量（８）の１／２である場合の不良ノズルの使用比率の算出結果（三角（▲）・実線）と、中間処理の媒体搬送量（２）が上端処理の媒体搬送量（上端送り量・１）よりも１個のラスターライン分の長さだけ長い場合の不良ノズルの使用比率の算出結果（バツ（×）・実線）が、示されている。なお、図３、図４に示す印刷条件に限らず、ノズル列の端部以外に不良ノズル群が発生する場合には、第１印刷方法よりも第２印刷方法の方が最適な印刷方法であることを示すために、図９Ａおよび図９Ｂには第１印刷方法における不良ノズルの使用比率の算出結果（丸（○）・点線）も示す。
【００７８】
不良ノズル数が４個であるときは、図９Ａのグラフに示されるように、中間処理の媒体搬送量が上端処理の媒体搬送量よりも１個のラスターライン分だけ長い場合（×）に、ラスターラインを形成する際の不良ノズルの最大使用比率が最も低くなり、最も画質劣化を抑制できる。  
不良ノズル数が８個であるときは、図９Ｂのグラフに示されるように、中間処理の媒体搬送量が通常処理の媒体搬送量の半分である場合（▲）に、ラスターラインを形成する際の不良ノズルの最大使用比率が最も低くなり、最も画質劣化を抑制できる。  
不良ノズル数が１６個であるときは、図９Ｃのグラフに示されるように、全ての媒体搬送量における不良ノズルの最大使用比率が同じである。ただし、中間処理の媒体搬送量が通常処理の媒体搬送量の半分である場合（▲）に、不良ノズルの使用比率が最大となるラスターライン数が最も少ない。不良ノズルの使用比率が最大となるラスターライン数が少ないほど、画像上にてスジとなって現れるラスターライン数を少なくすることができる。ゆえに、中間処理の媒体搬送量が通常処理の媒体搬送量の半分である場合に、最も画質劣化を抑制できる。
【００７９】
以上の結果、不良ノズル数が４個のときは、上端処理の媒体搬送量よりも１個のラスターライン分だけ長い搬送量（２）が中間処理の最適な搬送量となる。一方、不良ノズル数が８個、１６個のときは、通常処理の媒体搬送量の半分の搬送量（４）が中間処理の最適な搬送量となる。なお、これは、不良ノズル数が少ない場合、中間処理の媒体搬送量が短くとも、中間処理の前後のパスで不良ノズル群が割り当てられるラスターライン群が重複し難いからである。
【００８０】
次に、中間処理のパス数、及び、中間処理の媒体搬送量を複数変化させて、各条件における不良ノズルの使用比率を算出する（Ｓ０６）。  
図１０Ａは、中間処理のパス数が３パスである場合の不良ノズルの使用比率を示すグラフであり、図１０Ｂは、中間処理のパス数が２パスである場合の不良ノズルの使用比率を示すグラフであり、図１０Ｃは、中間処理のパス数が１パスである場合の不良ノズルの使用比率を示すグラフである。なお、ノズル列の中央部に４個の不良ノズル（＃３１〜＃３４）が発生したとし、上端・下端処理の媒体搬送量は１個のラスターライン分の長さに相当する。
【００８１】
中間処理のパス数が３パスである場合、通常処理の媒体搬送量が９個のラスターライン分の長さに相当し、通常処理時に１つのラスターラインが６個のＯＬノズルと１個の通常ノズルで形成される。中間処理のパス数が２パスである場合、通常処理の媒体搬送量が１０個のラスターライン分の長さに相当し、通常処理時に１つのラスターラインが４個のＯＬノズルと２個の通常ノズルで形成される。中間処理のパス数が１パスである場合、通常処理の媒体搬送量が１２個のラスターライン分の長さに相当し、通常処理時に１つのラスターラインが２個のＯＬノズルと３個の通常ノズルで形成される。なお、ここでは、通常処理の媒体搬送量に相当するラスターライン数が９個（奇数）である場合、通常処理の媒体搬送量の半分の値（４．５）を切捨てた値（４）を中間処理の媒体搬送量とする。ただし、これに限らず、通常処理の媒体搬送量の半分の値（４．５）を切上げた値（５）を中間処理の媒体搬送量としてもよい。
【００８２】
中間処理のパス数が３パスであるときは、図１０Ａのグラフに示されるように、中間処理の媒体搬送量が通常処理の媒体搬送量の半分である場合（▲）に、不良ノズルの最大使用比率が最も低くなり、画質劣化を抑制できる。同様に、中間処理のパス数が２パスであるときも（図１０Ｂ）、中間処理のパス数が１パスであるときも（図１０Ｃ）、中間処理の媒体搬送量が通常処理の媒体搬送量の半分である場合（▲）に、不良ノズルの最大使用比率が最も低くなり、画質劣化を抑制できる。以上の結果、不良ノズル数が４個であり、中間処理のパス数が１から３パスであるときは、通常処理の媒体搬送量の半分の搬送量が中間処理の最適な搬送量となる。
【００８３】
こうして、不良ノズル数、中間処理のパス数、中間処理の媒体搬送量を複数変化させて不良ノズルの使用比率を算出し、各条件における中間処理の最適な媒体搬送量に基づいて、プリンター１が第２印刷方法を実施する際の中間処理の媒体搬送量を決定する（Ｓ０７）。図９Ａから図９Ｃ及び図１０Ａから図１０Ｃの結果では、通常処理の媒体搬送量の半分（１／２）の媒体搬送量が、より多くの条件において、中間処理の最適な媒体搬送量となっている。よって、本実施形態では、中間処理の最適な媒体搬送量を、通常処理の媒体搬送量の半分の搬送量に決定する。その結果、より多くの条件において画質劣化を抑制することができる。なお、この場合、中間処理のパス数に応じて（１つのラスターラインを形成するためのノズルの構成に応じて）通常処理の媒体搬送量が異なる場合には、中間処理のパス数に応じて中間処理の媒体搬送量が異なる。
【００８４】
また、不良ノズル数、中間処理のパス数を複数変化させて、不良ノズルの使用比率を算出するに限らない。最適な印刷方法を決定するプリンター１において不良ノズル数や中間処理のパス数以外の他の条件（例えば、上端・下端処理の媒体搬送量など）が変動する場合、その他の条件も複数変化させて、不良ノズルの使用比率を算出するとよい。即ち、他の条件も考慮して、中間処理の最適な媒体搬送量を決定するとよい。
【００８５】
そうして、ノズル列における不良ノズル群の発生位置に応じて最適な印刷方法が決定された後、また、中間処理のある第２印刷方法に決定された場合には中間処理の最適な媒体搬送量が決定された後、この決定された印刷方法にてプリンター１が印刷を実施するように、決定された印刷方法をプリンター１に設定する、即ち、決定された印刷方法をプリンター１のメモリー１３（記憶部）に記憶させる（Ｓ０８）。具体的には、決定された印刷方法に関するパラメーター（中間処理の有無や中間処理の媒体搬送量など）をプリンター１のメモリー１３に記憶させる。また、プリンター１のメモリー１３に記憶させるに限らず、決定された印刷方法に関するパラメーターを、印刷データを作成するためのプログラムであるプリンタードライバーに記憶させてもよい。
【００８６】
このように、本実施形態では、プリンター１の設計工程において、経時変化によりノズル列に発生する不良ノズル群の予測位置に応じて、最適な印刷方法を決定し、決定された最適な印刷方法をプリンター１に設定することによって、プリンター１を製造する。その結果、ノズル列に不良ノズル群が発生したとしても、プリンター１による印刷画像の画質劣化を抑制できる。
【００８７】
なお、ここまで、プリンター１が同じ第２印刷方法を実施する場合であっても、ノズル列に発生する不良ノズル数や中間処理のパス数が変化するとしているが、これに限らない。
【００８８】
例えば、個々のヘッド４１によってノズル列に発生する不良ノズル数が変動せずに、同じ種類のヘッド４１であればノズル列に発生する不良ノズル数が固定される場合もある。例えば、不良ノズル数が４個と固定される場合、不良ノズル数が４個であり、中間処理のパス数を複数変化させた結果である図９Ａ及び図１０Ａから図１０Ｃに基づいて、中間処理の最適な媒体搬送量を決定するとよい。
【００８９】
また、通常処理にて１つのラスターラインを形成するノズルの構成が一定であり、即ち、１サイクルのパス数が一定であり、中間処理のパス数が固定される場合がある。例えば、中間処理のパス数が４パスと固定される場合、中間処理のパス数が４であり、ノズル列に発生する不良ノズル数を複数変化させた結果である図９Ａから図９Ｃに基づいて、中間処理の最適な媒体搬送量を決定するとよい。
【００９０】
また、不良ノズル数が４個に固定され、中間処理のパス数も４パスと固定される場合、図９Ａに基づいて、中間処理の最適な媒体搬送量を決定するとよい。図９Ａでは、中間処理の媒体搬送量を上端処理の媒体搬送量に１個のラスターライン分だけ長い長さとしたときに、不良ノズルの最大使用比率が最も低下する。よって、この場合、中間処理の最適な媒体搬送量は、上端処理の媒体搬送量に１個のラスターライン分だけ長い長さとなる。
【００９１】
＝＝＝その他の実施の形態＝＝＝
上記の各実施形態は、主としてインクジェットプリンターを有する印刷システムについて記載されているが、印刷方法等の開示が含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００９２】
＜プリンターについて＞
前述の実施形態では、ヘッド４１を移動方向に移動させながら単票紙に画像を形成する動作と、ヘッド４１に対して単票紙を搬送方向に搬送する動作とを繰り返すプリンターを例に挙げているが、これに限らない。例えば、印刷領域に搬送された連続用紙に対して、ヘッドを媒体搬送方向に移動しながら画像を形成する動作と、ヘッドを紙幅方向に移動する動作と、を繰り返して画像を形成し、その後、未だ印刷されていない媒体部分を印刷領域に搬送するプリンターでもよい。
【符号の説明】
【００９３】
１  プリンター、１０  コントローラー、１１  インターフェース部、
１２  ＣＰＵ、１３  メモリー、１４  ユニット制御回路、
２０  搬送ユニット、３０  キャリッジユニット、３１  キャリッジ、
４０  ヘッドユニット、４１  ヘッド、
５０  検出器群、６０  コンピューター
【図１】
0005445331.tif 000002
【図２】
0005445331.tif 000003
【図３】
0005445331.tif 000004
【図４】
0005445331.tif 000005
【図５】
0005445331.tif 000006
【図６】
0005445331.tif 000007
【図７】
0005445331.tif 000008
【図８】
0005445331.tif 000009
【図９Ａ】
0005445331.tif 000010
【図９Ｂ】
0005445331.tif 000011
【図９Ｃ】
0005445331.tif 000012
【図１０Ａ】
0005445331.tif 000013
【図１０Ｂ】
0005445331.tif 000014
【図１０Ｃ】
0005445331.tif 000015